(57)【要約】【課題】他からの機器設定の変更を制限することができる印刷装置を提供する。【解決手段】第１の端末３１〜第４の端末３４と通信可能である印刷装置１１は、各端末３１〜３４から印刷装置１１の機器設定の変更要求を受け付けるＵＩ２４と、各端末３１〜３４のいずれかからの機器設定の変更要求に基づいて機器設定を変更可能である第１設定状態としての制限解除モードと、各端末３１〜３４のうち、予め設定された条件を満たした特定の端末以外の端末の機器設定の変更要求による機器設定の変更を制限する第２設定状態としての制限モードとを切り替える切替部２６とを備える。【選択図】図１
2016175218.tif 000002
【特許請求の範囲】
【請求項１】
複数の端末と通信可能な印刷装置であって、
前記複数の端末から前記印刷装置の機器設定の変更要求を受け付ける受付部と、
前記複数の端末のいずれかからの前記機器設定の変更要求に基づいて前記機器設定を変更可能である第１設定状態と、前記複数の端末のうち、予め設定された条件を満たした特定の端末以外の端末の前記機器設定の変更要求による前記機器設定の変更を制限する第２設定状態とを切り替える切替部と
を備える
ことを特徴とする印刷装置。
【請求項２】
前記複数の端末と前記印刷装置とは、ネットワークにより通信可能であり、
前記受付部は、前記機器設定の変更を前記ネットワーク経由で受け付ける
ことを特徴とする請求項１に記載の印刷装置。
【請求項３】
前記切替部が前記第２設定状態から前記第１設定状態に切り替えるための所定の時刻、所定期間、及び所定ジョブの少なくとも１つを設定可能である
ことを特徴とする請求項１又は２に記載の印刷装置。
【請求項４】
前記切替部は、前記第１設定状態から前記第２設定状態に切り替えてから予め設定された設定時間に達したとき、前記第２設定状態から前記第１設定状態に切り替える
ことを特徴とする請求項１〜３のいずれか一項に記載の印刷装置。
【請求項５】
前記受付部にアクセスした端末の画面に前記機器設定のための内容を表示させる表示制御部を備え、
前記表示制御部は、前記第２設定状態から前記第１設定状態に切り替える時間である制限解除予定時間を前記受付部に出力する
ことを特徴とする請求項１〜４のいずれか一項に記載の印刷装置。
【請求項６】
前記受付部にアクセスした端末の画面に前記機器設定のための内容を表示させる表示制御部を備え、
前記表示制御部は、前記第２設定状態において、前記特定の端末により変更された前記機器設定の設定項目が前記特定の端末以外の端末から変更操作が行われたことに基づいて、変更された前記設定項目が変更済みであることを前記受付部に出力する
ことを特徴とする請求項１〜５のいずれか一項に記載の印刷装置。
【請求項７】
変更された前記機器設定の設定項目の特定と、前記複数の端末のうちの設定変更を行った端末の特定とを行う特定部を備える
ことを特徴とする請求項１〜６のいずれか一項に記載の印刷装置。
【請求項８】
前記受付部にアクセスした端末の画面に前記機器設定のための内容を表示させる表示制御部を備え、
前記表示制御部は、前記機器設定が変更されたことを前記受付部に出力する
ことを特徴とする請求項１〜７のいずれか一項に記載の印刷装置。
【請求項９】
前記表示制御部は、前記機器設定が変更されたことを示すアイコンを前記受付部に出力する
ことを特徴とする請求項８に記載の印刷装置。
【請求項１０】
前記受付部にアクセスした端末の画面に前記機器設定のための内容を表示させる表示制御部を備え、
前記機器設定を変更するための選択肢を前記受付部に出力する
ことを特徴とする請求項１〜９のいずれか一項に記載の印刷装置。
【請求項１１】
前記選択肢は、アイコンにより表示される
ことを特徴とする請求項１０に記載の印刷装置。
【請求項１２】
前記受付部にアクセスした端末の画面に前記機器設定のための内容を表示させる表示制御部を備え、
前記表示制御部は、前記第１設定状態及び前記第２設定状態を切り替えるための設定項目を前記受付部に出力する
ことを特徴とする請求項１〜１１のいずれか一項に記載の印刷装置。
【請求項１３】
前記機器設定は、複数の設定項目を含む設定グループにより区分され、
前記切替部は、前記設定グループごとに前記第１設定状態と前記第２設定状態とに切り替え可能である
ことを特徴とする請求項１２に記載の印刷装置。
【発明の詳細な説明】
【技術分野】
【０００１】
本発明は、複数の端末と通信可能な印刷装置に関する。
【背景技術】
【０００２】
複数の端末がネットワークを経てアクセス可能とされた印刷装置であって、アクセスした端末の操作に基づいて、ロール状の連続紙等の媒体に印刷を行う印刷装置が知られている。このような印刷装置は、印刷装置にアクセスした端末の操作に基づいて、印刷設定に加えて、印刷装置の機器設定の変更も可能である（例えば、特許文献１参照）。
【０００３】
特許文献１の印刷装置では、複数の端末のうちの特定の端末により機器設定の変更が行われている間、他の端末による機器設定の変更の予約を受け付けることにより、特定の端末による機器設定の変更が終了した後、他の端末による機器設定の変更を速やかに行う。
【先行技術文献】
【特許文献】
【０００４】
【特許文献１】特開２００７−２１４８５３号公報
【発明の概要】
【発明が解決しようとする課題】
【０００５】
ところで、特許文献１の印刷装置は、特定の端末による機器設定の変更が終了した後、他の端末による機器設定の変更操作に基づいて機器設定を上書きするため、例えば特定の端末を操作するユーザーが機器設定の変更を行いながら印刷装置の点検作業を行う際、点検作業の途中で他の端末による機器設定の変更が行われるおそれがある。このため、特定の端末を操作するユーザーは、点検作業の途中で他の端末により機器設定の変更が行われたことに気付きにくく、他の端末による機器設定の変更が行われたまま点検作業を行うおそれがある。
【０００６】
このような問題を解決するため、特定の端末を操作するユーザーは、機器設定の変更を行った後、機器設定の設定項目の全てについてユーザー以外により変更されていないかを確認することが考えられる。しかし、印刷装置の機器設定は多数の設定項目を有し、その全ての設定項目をユーザーが確認する場合、点検作業の作業効率が低下してしまう。
【０００７】
本発明は、このような実情に鑑みてなされたものであり、その目的は、他からの機器設定の変更を制限することができる印刷装置を提供することにある。
【課題を解決するための手段】
【０００８】
以下、上記課題を解決するための手段及びその作用効果について記載する。
上記課題を解決する印刷装置は、複数の端末と通信可能な印刷装置であって、前記複数の端末から前記印刷装置の機器設定の変更要求を受け付ける受付部と、前記複数の端末のいずれかからの前記機器設定の変更要求に基づいて前記機器設定を変更可能である第１設定状態と、前記複数の端末のうち、予め設定された条件を満たした特定の端末以外の端末の前記機器設定の変更要求による前記機器設定の変更を制限する第２設定状態とを切り替える切替部とを備える。
【０００９】
上記構成によれば、第２設定状態において特定の端末以外の端末による機器設定の変更要求を受付部が受け付けたとき、その機器設定の変更が印刷装置に反映されることが抑制される。これにより、例えば特定の端末による印刷装置の点検作業中に、特定の端末以外の端末により印刷装置の機器設定が変更されることが制限される。このため、特定の端末以外の端末により印刷装置の機器設定が変更されたか否かを点検作業ごとに確認することが抑制されるため、印刷装置の点検作業が煩雑になることが抑制される。
【００１０】
また、上記印刷装置において、前記複数の端末と前記印刷装置とは、ネットワークにより通信可能であり、前記受付部は、前記機器設定の変更を前記ネットワーク経由で受け付けることが好ましい。
【００１１】
また、上記印刷装置においては、前記切替部が前記第２設定状態から前記第１設定状態に切り替えるための所定の時刻、所定期間、及び所定ジョブの少なくとも１つを設定可能であることが好ましい。
【００１２】
上記構成によれば、第２設定状態から第１設定状態に切り替わる時刻や第２設定状態が維持される期間や第２設定状態から第１設定状態に切り替わるトリガーとなるジョブを予め設定することにより、特定の端末の操作によって第２設定状態の期間を把握することができる。このため、例えば特定の端末により点検作業が行われる際、第２設定状態が維持される期間において特定の端末以外の端末による機器設定の変更を確認する必要がなくなる。
【００１３】
また、予め設定された時刻、期間、ジョブにより第２設定状態から第１設定状態に切り替えられるため、特定の端末の操作によって第２設定状態から第１設定状態に切り替える操作をしなくてもよい。このため、機器設定の変更の使い勝手がよくなる。
【００１４】
また、上記印刷装置において、前記切替部は、前記第１設定状態から前記第２設定状態に切り替えてから予め設定された設定時間に達したとき、前記第２設定状態から前記第１設定状態に切り替えることが好ましい。
【００１５】
例えば特定の端末を操作するユーザーが第２設定状態から第１設定状態に切り替わるジョブを設定した後、そのジョブを完了することなく、第２設定状態から第１設定状態に切り替える操作を忘れてしまった場合、第２設定状態が不必要に継続してしまう。
【００１６】
そこで、上記構成によれば、特定の端末を操作するユーザーが第２設定状態から第１設定状態に切り替えることを忘れても、設定時間に達したときに切替部により自動的に第２設定状態から第１設定状態に切り替えられるため、不必要に第２設定状態が維持される期間が短くなる。
【００１７】
また、上記印刷装置においては、前記受付部にアクセスした端末の画面に前記機器設定のための内容を表示させる表示制御部を備え、前記表示制御部は、前記第２設定状態から前記第１設定状態に切り替える時間である制限解除予定時間を前記受付部に出力することが好ましい。
【００１８】
上記構成によれば、機器設定の変更によって制限解除予定時間を把握可能とすることにより、第２設定状態が維持される期間を把握することができる。また受付部にアクセスした端末に機器設定の変更の画面を表示させることによって第２設定状態から第１設定状態に何時切り替えられるかを把握することができるため、第２設定状態のときに他の端末の操作によって機器設定を変更する頻度が少なくなる。したがって、他の端末による機器設定の変更の失敗を抑制することができる。
【００１９】
また、上記印刷装置においては、前記受付部にアクセスした端末の画面に前記機器設定のための内容を表示させる表示制御部を備え、前記表示制御部は、前記第２設定状態において、前記特定の端末により変更された前記機器設定の設定項目が前記特定の端末以外の端末から変更操作が行われたことに基づいて、変更された前記設定項目が変更済みであることを前記受付部に出力することが好ましい。
【００２０】
上記構成によれば、特定の端末以外の端末により設定項目を変更操作するごとに、変更操作された設定項目に変更制限がかかっているか否かの結果が特定の端末以外の端末に表示される。このため、特定の端末以外の端末からの操作による機器設定の設定項目において、変更すべき設定項目の全てを設定した後に、変更した設定項目に変更制限がかかっているか否かが表示される場合と比較して、特定の端末以外の端末からの操作による機器設定の設定項目に変更制限がかかっていることを速やかに把握することができる。
【００２１】
また、上記印刷装置において、変更された前記機器設定の設定項目の特定と、前記複数の端末のうちの設定変更を行った端末の特定とを行う特定部を備えることが好ましい。
この構成によれば、特定部により複数の端末のうちのどの端末から機器設定のどの設定項目が変更されたかが特定されるため、特定された端末及び設定項目に基づいて機器設定の変更の重要度を把握することができる。
【００２２】
また、上記印刷装置においては、前記受付部にアクセスした端末の画面に前記機器設定のための内容を表示させる表示制御部を備え、前記表示制御部は、前記機器設定が変更されたことを前記受付部に出力することが好ましい。
【００２３】
この構成によれば、特定の端末以外の端末であって受付部にアクセスした端末の画面に特定の端末により設定項目の内容が変更されたことを表示する。このため、特定の端末以外の端末であって受付部にアクセスした端末の画面から機器設定の設定項目の内容が特定の端末により変更されたことを認識することができる。
【００２４】
また、上記印刷装置において、前記表示制御部は、前記機器設定が変更されたことを示すアイコンを前記受付部に出力することが好ましい。
この構成によれば、特定の端末以外の端末であって受付部にアクセスした端末の画面にアイコンを表示することにより、特定の端末により設定項目が変更されたことを容易に認識することができる。
【００２５】
また、上記印刷装置においては、前記受付部にアクセスした端末の画面に前記機器設定のための内容を表示させる表示制御部を備え、前記機器設定を変更するための選択肢を前記受付部に出力することが好ましい。
【００２６】
この構成によれば、機器設定の変更の選択肢が受付部にアクセスした端末の画面に表示されるため、その選択肢内の設定値等の情報を選択することにより機器設定を変更することができる。したがって、端末を操作することによって機器設定を容易に変更することができる。
【００２７】
また、上記印刷装置においては、前記選択肢は、アイコンにより表示されることが好ましい。
この構成によれば、選択肢がアイコンにより表示されるため、端末を操作するときに選択肢を感覚的に選択しやすくなる。
【００２８】
また、上記印刷装置においては、前記受付部にアクセスした端末の画面に前記機器設定のための内容を表示させる表示制御部を備え、前記表示制御部は、前記第１設定状態及び前記第２設定状態を切り替えるための設定項目を前記受付部に出力することが好ましい。
【００２９】
この構成によれば、特定の端末から機器設定の変更要求を行う際に第２設定状態を選択することにより、特定の端末以外の端末からの機器設定の変更要求を予め制限する。このため、特定の端末から操作を行う際に特定の端末以外の端末による機器設定の変更を考慮することなく、機器設定の変更操作を行うことができる。
【００３０】
また、上記印刷装置において、前記機器設定は、複数の設定項目を含む設定グループにより区分され、前記切替部は、前記設定グループごとに前記第１設定状態と前記第２設定状態とに切り替え可能であることが好ましい。
【００３１】
上記構成によれば、複数の設定項目のそれぞれに第１設定状態と第２設定状態とを設定せずに、複数の設定項目をまとめて第１設定状態と第２設定状態とを設定することができる。このため、第１設定状態と第２設定状態との設定の作業が煩雑になることを抑制することができる。
【図面の簡単な説明】
【００３２】
【図１】印刷装置の第１実施形態について、その制御構成のブロック図。
【図２】（ａ）は端末に表示される設定画面の一例を示す模式図、（ｂ）は機器設定の設定値が（ａ）の機器設定の設定値とは異なる設定画面の一例を示す模式図。
【図３】設定制限処理の処理手順を示すフローチャート。
【図４】機器設定の変更が成功した場合の端末に表示される結果画面を示す模式図。
【図５】機器設定の変更が失敗した場合の端末に表示される結果画面を示す模式図。
【図６】制限解除処理の処理手順を示すフローチャート。
【図７】第１の端末及び第２の端末による機器設定のやり取りの一例を示すシーケンス図。
【図８】端末に表示される設定画面の一例を示す模式図。
【図９】印刷装置の第２実施形態について、端末に表示される設定画面の一例を示す模式図。
【図１０】設定制限処理の処理手順を示すフローチャート。
【図１１】変形例の印刷装置における表示出力処理の処理手順を示すフローチャート。
【図１２】変形例の印刷装置にアクセスした端末に表示される設定画面の一例を示す模式図。
【図１３】変形例の印刷装置にアクセスした端末に表示される設定画面の一例を示す模式図。
【図１４】（ａ）は変形例の印刷装置において、機器設定の変更が制限された状態で印刷装置にアクセスした端末に表示される設定画面の一例を示す模式図、（ｂ）は変形例の印刷装置において、機器設定の変更が解除された状態で印刷装置にアクセスした端末に表示される設定画面の一例を示す模式図。
【図１５】変形例の印刷装置において、機器設定の設定項目ごとに変更が制限された状態で印刷装置にアクセスした端末に表示される設定画面の一例を示す模式図。
【図１６】変形例の印刷装置において、印刷装置にアクセスした端末にタイムバーを含めて表示される設定画面の一例を示す模式図。
【図１７】変形例の印刷装置において、印刷装置にアクセスした端末に機器設定の変更の制限の操作の選択肢が表示される設定画面の一例を示す模式図。
【図１８】変形例の印刷装置において、印刷装置にアクセスした端末に機器設定の変更の制限の操作のアイコンが表示される設定画面の一例を示す模式図。
【図１９】変形例の印刷装置において、印刷装置にアクセスした端末に機器設定の設定項目を変更したユーザーが表示される設定画面の一例を示す模式図。
【図２０】変形例の印刷装置において、機器設定の設定項目の変更が失敗した旨が印刷装置にアクセスした端末に表示される設定画面一例を示す模式図。
【発明を実施するための形態】
【００３３】
（第１実施形態）
以下、印刷装置の第１実施形態について、図面を参照して説明する。なお、本実施形態の印刷装置は、例えば、液体の一例であるインクを媒体に噴射することにより印刷を行うインクジェット式のプリンターで構成されている。また、そのプリンターは、印刷方式が媒体の搬送方向と交差する方向に印刷部を移動させて印刷を行う、所謂シリアル方式のプリンターである。また、図２以降の図面を用いた説明において、符号が付された印刷装置１１の各構成要素は、図１の印刷装置１１の各構成要素を示す。
【００３４】
図１に示すように、印刷装置１１は、ネットワーク３０を介して複数のユーザーが操作する電子端末と通信可能に接続されている。本実施形態では、第１の端末３１、第２の端末３２、第３の端末３３、及び第４の端末３４の４つの電子端末が印刷装置１１と接続される。これら端末３１〜３４の一例は、図１に示すとおり、デスクトップ型パーソナルコンピューターである。なお、各端末３１〜３４は、デスクトップ型パーソナルコンピューターに代えて、スマートフォン、携帯情報端末（ＰＤＡ（Personal Digital Assistants））、タブレット型パーソナルコンピューター、ラップトップ型パーソナルコンピューター等の携帯端末であってもよい。
【００３５】
印刷装置１１と各端末３１〜３４とは、ネットワーク３０を介して印刷ジョブや印刷装置１１の機器設定のやり取りを行う。例えばユーザーが第１の端末３１を用いて印刷ジョブを印刷装置１１に送信したり、印刷装置１１の機器設定の変更を行ったりする。なお、印刷装置１１の機器設定とは、印刷条件等を設定する印刷設定とは異なり、印刷装置１１自体の設定（例えば、本実施形態では、ネットワーク経由の印刷に対してどのプロトコルを用いるかを指定するアクセス制御）や、印刷装置１１の保守等に基づく印刷装置１１の利用管理に必要な管理情報の設定である。この管理情報の設定項目として、例えば「アドレス帳の追加及び削除」、「管理者の変更」、「認証設定の変更」などが挙げられる。
【００３６】
印刷装置１１は、媒体の一例である用紙を印刷領域に搬送する搬送部１２と、搬送部１２により搬送された用紙に印刷領域で印刷を行う印刷部１３と、搬送部１２及び印刷部１３を制御する制御装置２０とを備える。
【００３７】
搬送部１２は、電動モーターを用いて複数の搬送ローラー対（ともに図示略）を駆動させることにより、用紙を搬送ローラー対で挟持しながら印刷領域に搬送する。印刷部１３は、搬送部１２による用紙の搬送方向と交差する方向（好ましくは直交する方向）に往復移動するキャリッジ（図示略）を備え、そのキャリッジに搭載される噴射部（図示略）に形成された複数のノズルからインクを用紙に向けて噴射する。そして印刷装置１１は、搬送部１２による用紙の印刷領域への搬送と、印刷部１３による用紙へのインクの噴射とが交互に行われることにより、各端末３１〜３４のいずれか１つから受信した画像等が用紙に印刷される。
【００３８】
制御装置２０は、ＣＰＵ、ＲＡＭ、ＲＯＭ等を備え、ＣＰＵはＲＯＭ等に記憶された各種の制御プログラムや処理プログラムを実行する。制御装置２０は、メカ制御部２１、画像処理部２２、設定データベース２３、受付部の一例であるユーザーインターフェース（以下、「ＵＩ」と称する。）２４、設定処理部２５等を含んで構成される。
【００３９】
メカ制御部２１は、印刷ジョブに基づいて、搬送部１２及び印刷部１３を制御する。画像処理部２２は、印刷ジョブに基づいて、印刷装置１１に送信された画像に対してハーフトーン処理等の画像処理を実行する。
【００４０】
設定データベース２３は、メカ制御部２１、画像処理部２２、及び設定処理部２５と電気的に接続されている。設定データベース２３には、印刷装置１１の機器設定の各設定値が記憶されている。メカ制御部２１及び画像処理部２２は、設定データベース２３の設定値を用いて各種の制御を実行する。
【００４１】
ＵＩ２４は、機器設定の変更処理にかかわるソフトウェアを含む。ＵＩ２４は、ネットワーク３０に接続された各端末３１〜３４を介して各端末３１〜３４からの機器設定の変更要求を受け付け、各端末３１〜３４を操作するユーザーと例えば機器設定の処理に関する情報のやり取りを行うための機能を提供する。
【００４２】
設定処理部２５は、ＵＩ２４に機器設定の情報を出力するとともに、ＵＩ２４において受け付けた機器設定の変更要求に基づいて設定データベース２３に記憶された機器設定の変更を実行する。また、設定処理部２５は、ネットワーク３０を介して印刷装置１１に接続された複数の端末による機器設定の変更の制限や、複数の端末の画面に機器設定の変更の制限を表示させる制御を実行する。このような機能の設定処理部２５は、切替部２６、特定部２７、及び表示制御部２８を含んで構成される。
【００４３】
切替部２６は、各端末３１〜３４により印刷装置１１の機器設定を変更できる状態である第１設定状態としての制限解除モードと、予め設定された条件下において各端末３１〜３４のうちの条件を満たした端末のみが印刷装置１１の機器設定を変更できる状態である第２設定状態としての制限モードとを切り替える。本実施形態における予め設定された条件とは、「各端末３１〜３４のうちの複数の端末が同じ時期に機器設定の変更が行われたとき、複数の端末のうちの機器設定の変更要求がＵＩ２４に最も早く受け付けられた端末であること」である。
【００４４】
特定部２７は、上記条件を満たした端末（以下、「特定の端末」と称する。）と、印刷装置１１の機器設定の各設定項目のうち、特定の端末により変更された設定項目とを特定する。特定部２７により特定された情報は、例えば設定データベース２３に記憶される。なお、設定データベース２３に記憶された情報は、各端末３１〜３４のうちのＵＩ２４にアクセスした端末（以下、「アクセス端末」と称する。）により取得可能である。
【００４５】
表示制御部２８は、アクセス端末の画面に機器設定の設定内容を出力するためのデータをＵＩ２４に出力する。
このような構成の制御装置２０は、各端末３１〜３４のいずれかがＵＩ２４にアクセスして印刷装置１１の機器設定の変更操作を行うとき、表示制御部２８及びＵＩ２４により図２（ａ）（ｂ）のような内容をアクセス端末の画面４０に表示させる。図２（ａ）（ｂ）では、機器設定の一例として、ネットワーク３０を介して各端末３１〜３４から印刷装置１１のＩＰ（Internet Protocol）印刷へのアクセス制御における印刷ポートの設定及びタイムアウトの設定の情報を示す。
【００４６】
図２（ａ）に示すように、アクセス端末の画面４０には、印刷装置１１の機器設定の変更を行うための設定画面４１が表示されている。この設定画面４１内には、４つのインデックスとして、「Ｈｏｍｅ」、「Ｓｅｔｕｐ」、「Ｆａｖｏｒｉｔｅ」、「Ａｂｏｕｔ」が表示されている。図２（ａ）の設定画面４１では「Ｓｅｔｕｐ」が選択されている。そして設定画面４１におけるインデックスの表示領域４２には、４つの設定グループとして、「ＬＰＲ印刷」、「ＲＡＷ印刷」、「ＷＳＤ印刷」、及び「ＦＴＰ印刷」が表示されている。また表示領域４２において４つの設定グループよりも下側には、送信ボタン４４が表示されている。
【００４７】
ＬＰＲ印刷は、ＬＰＲ印刷機能を有効又は無効にする設定と、タイムアウトの設定との２つの設定項目を備える。ＲＡＷ印刷は、ＲＡＷ印刷機構を有効又は無効にする設定と、タイムアウトの設定との２つの設定項目を備える。ＷＳＤ印刷は、タイムアウトの設定を備える。ＦＴＰ印刷は、ＦＴＰ印刷機能を有効又は無効にする設定を備える。
【００４８】
機器設定の設定項目のＬＰＲ印刷機能、ＲＡＷ印刷機能、及びＦＴＰ印刷機能には、「有効」及び「無効」を選択するための選択肢４３が表示されている。言い換えれば、表示制御部２８が選択肢４３をＵＩ２４に出力することにより、アクセス端末の設定画面４１に選択肢４３が表示されている。アクセス端末を操作するユーザーが選択肢４３をプルダウンして「有効」及び「無効」を選択することにより、ＬＰＲ印刷機能、ＲＡＷ印刷機能、及びＦＴＰ印刷機能の状態が設定される。
【００４９】
一例として、図２（ａ）では、ＬＰＲ印刷機能及びＲＡＷ印刷機能が「無効」に設定され、ＷＳＤ印刷のタイムアウトが「１２０秒」に設定され、ＦＴＰ印刷が「有効」に設定されている。一方、図２（ｂ）では、図２（ａ）に対してＬＰＲ印刷機能及びＲＡＷ印刷機能が「有効」に変更され、ＬＰＲ印刷機能及びＲＡＷ印刷機能のそれぞれのタイムアウトが「１２０秒」に設定されている。
【００５０】
そしてユーザーは、設定画面４１において、「ＬＰＲ印刷」、「ＲＡＷ印刷」、「ＷＳＤ印刷」、「ＦＴＰ印刷」における各設定項目を設定した後、送信ボタン４４を選択する。これにより、アクセス端末は、機器設定の変更情報をＵＩ２４に出力することにより印刷装置１１に機器設定の変更要求を実行する。
【００５１】
上述のように、アクセス端末がＵＩ２４にアクセスして印刷装置１１の機器設定の変更要求を行うとき、制御装置２０は、各端末３１〜３４による設定データベース２３の機器設定の変更を制限する設定制限処理と、設定データベース２３の機器設定の変更の制限を解除する制限解除処理とを実行する。
【００５２】
設定制限処理は、各端末３１〜３４のいずれかが設定データベース２３の機器設定の変更を実行したとき、機器設定の変更を実行した端末以外の端末による設定データベース２３の機器設定の変更を制限する処理であり、各端末３１〜３４のいずれかが機器設定の変更のためにＵＩ２４にアクセスしたときに処理が開始される。そして設定制限処理は、図３に示すフローチャートの手順に従い、次のように実行される。
【００５３】
図３に示すように、制御装置２０は、まず、各端末３１〜３４のいずれかがＵＩ２４にアクセス開始したときの機器設定の各設定項目の設定値（以下、「開始時設定値」と称する。）を設定データベース２３から取得する（ステップＳ１１）。この機器設定の各設定値は、ステップＳ１１のアクセス端末により設定データベース２３の機器設定の各設定値を変更する前の設定値である。なお、以下の設定制限処理の説明において、アクセス端末と称する場合、ステップＳ１１においてＵＩ２４にアクセスした端末を示す。
【００５４】
次に、制御装置２０は、ＵＩ２４がアクセス端末による機器設定の各設定値の変更要求を受け付けたか否かを判定する（ステップＳ１２）。この判定は、アクセス端末の図２（ａ）又は（ｂ）に示す設定画面４１において送信ボタン４４が操作されたか否かに基づいて行われる。
【００５５】
制御装置２０は、ＵＩ２４がアクセス端末による機器設定の各設定値の変更要求を受け付けていないとき（ステップＳ１２：ＮＯ）、アクセス端末による機器設定の変更操作が終了したか否かを判定する（ステップＳ１３）。そして制御装置２０は、アクセス端末による機器設定の変更操作が終了したとき（ステップＳ１３：ＹＥＳ）、処理を一旦終了する。一方、制御装置２０は、アクセス端末による機器設定の変更操作が終了していないとき（ステップＳ１３：ＮＯ）、ステップＳ１２の判定に再び移行する。なお、図２（ａ）又は（ｂ）に示すアクセス端末の設定画面４１を閉じる操作が行われたとき、制御装置２０は、機器設定の変更操作が終了したと判定する。
【００５６】
また制御装置２０は、ＵＩ２４がアクセス端末による機器設定の各設定値の変更要求を受け付けたとき（ステップＳ１２：ＹＥＳ）、ＵＩ２４が受け付けた機器設定の各設定値を取得し（ステップＳ１４）、設定データベース２３の機器設定の各設定値（以下、「受付時設定値」と称する。）を取得する（ステップＳ１５）。受付時設定値は、アクセス端末による機器設定の変更要求を受け付けたときの設定データベース２３の機器設定の各設定値である。このときの設定データベース２３の機器設定の各設定値は、アクセス端末による機器設定の設定値の変更が行われる前の値、及びアクセス端末以外の端末がＵＩ２４にアクセスして機器設定の設定値の変更が行われた後の値のいずれかである。
【００５７】
次に、制御装置２０は、設定データベース２３の開始時設定値と、設定データベース２３の受付時設定値とが互いに異なるか否かを判定する（ステップＳ１６）。
そして、制御装置２０は、設定データベース２３の開始時設定値と、設定データベース２３の受付時設定値とが一致するとき（ステップＳ１６：ＮＯ）、設定データベース２３の機器設定の各設定値をＵＩ２４が受け付けた機器設定の各設定値に変更する（ステップＳ１７）。そして制御装置２０は、図４に示すように、アクセス端末の画面４０に機器設定の設定値の変更が成功した旨の結果画面４５を表示する（ステップＳ２１）。
【００５８】
一方、制御装置２０は、設定データベース２３の開始時設定値と、設定データベース２３の受付時設定値とが異なるとき（ステップＳ１６：ＹＥＳ）、設定データベース２３の機器設定の各設定値を受付時設定値に維持する（ステップＳ１８）。そして制御装置２０は、図５に示すように、アクセス端末の画面４０に機器設定の変更が失敗した旨の結果画面４５を表示する（ステップＳ２２）。
【００５９】
アクセス端末による設定データベース２３の機器設定の変更が失敗したとき、図５の結果画面４５における戻るボタン４６が操作されることにより、再びステップＳ１１に戻る。この場合、設定データベース２３の開始時設定値は、ステップＳ１７において更新された設定値となる。
【００６０】
制限解除処理は、設定制限処理が実行された後、設定制限処理のステップＳ１１のアクセス端末により機器設定の変更が制限された制限モードとなっているとき、所定の解除条件に基づいて制限モードから制限解除モードに切り替えて機器設定の変更の制限を解除する処理である。この制限解除処理は、設定制限処理が実行された後、制限モードに変更された場合、制限解除モードに切り替えるまで所定時間毎に繰り返し実行される。そして設定制限処理は、図６に示すフローチャートの手順に従い、次のように実行される。
【００６１】
制御装置２０は、以下のステップＳ３１〜Ｓ３３の３つの判定に基づいて、切替部２６により制限モードから制限解除モードへの切り替えを制御する。
（ステップＳ３１）制御装置２０が制限モードか否か。
（ステップＳ３２）解除条件が成立したか否か。
（ステップＳ３３）制限モードに切り替え後、設定時間に達したか否か。
【００６２】
本実施形態の解除条件は、「ユーザーが印刷装置１１の点検作業を行うにあたり、最後の点検項目に対応する所定のジョブが完了したこと」である。これにより、例えばユーザーが印刷装置１１の点検作業する期間にわたり、ユーザー以外による機器設定の変更の制限が行われる。また、設定時間は、ユーザーにより決定された解除条件が成立しない状態が継続することにより、制限モードが不必要に維持されることを抑制するための時間であり、設定データベース２３に予め記憶されている。本実施形態の設定時間は、２４時間である。
【００６３】
制御装置２０は、制御装置２０が制限モードであること（ステップＳ３１：ＹＥＳ）を前提として、解除条件が成立したとき（ステップＳ３２：ＹＥＳ）、又は解除条件が成立しなくても（ステップＳ３２：ＮＯ）、設定時間に達したとき（ステップＳ３３：ＹＥＳ）、切替部２６により制限モードから制限解除モードに切り替える（ステップＳ３４）。これにより、各端末３１〜３４の全てに機器設定の変更が許可される。
【００６４】
なお、解除条件は、ユーザーにより決定された所定の時刻に到達したことであってもよいし、制限解除モードから制限モードに切り替えられてから所定時間を経過したことであってもよい。この所定時間は、ユーザーにより決定される。このような解除条件は、制御装置２０に予め複数個記憶されていてもよい。この場合、ユーザーが複数個の解除条件から１つ又は複数選択するようにしてもよい。
【００６５】
次に、設定制限処理の一実行態様について図７のシーケンス図を用いて説明する。
図７では、第１の端末３１及び第２の端末３２のそれぞれがＵＩ２４にアクセスして機器設定の変更要求を行う場合を想定している。なお、以下の説明において第１の端末３１を操作するユーザーを「第１のユーザー」とし、第２の端末３２を操作するユーザーを「第２のユーザー」とする。
【００６６】
第１のユーザーが第１の端末３１を操作して、印刷装置１１の機器設定にＵＩ２４を介してアクセスしたとき、設定処理部２５は、その時点での機器設定の各設定項目の設定値を設定データベース２３に要求する。そして設定データベース２３は、機器設定の設定値として開始時設定値を設定処理部２５に送信する。そして設定処理部２５は、開始時設定値を取得し、表示制御部２８により開始時設定値を文字変換してＵＩ２４に出力する。これにより、第１の端末３１の画面４０には、図２（ａ）に示すような設定画面４１が表示される（ステップＳ４１）。
【００６７】
またその後、第２のユーザーが第２の端末３２を操作して、印刷装置１１の機器設定にＵＩ２４を介してアクセスしたとき、設定処理部２５は、第１のユーザーが第１の端末３１を操作したときと同様に処理する。このとき、第１の端末３１により設定データベース２３の機器設定の変更が完了していないため、第１の端末３１が取得した開始時設定値と同様の開始時設定値を取得し、第２の端末３２の画面４０に図２（ａ）に示すような設定画面４１が表示される（ステップＳ５１）。このように、第１の端末３１及び第２の端末３２が設定画面４１を表示した時点では、切替部２６により制限解除モードに設定されている。
【００６８】
そして、第１のユーザーが第１の端末３１を操作して、図２（ｂ）に示すように機器設定の設定値の変更操作を行うとき（ステップＳ４２）、第１の端末３１は、ＵＩ２４を介して設定処理部２５に変更した機器設定の設定値を送信する（ステップＳ４３）。これにより、機器設定の変更要求が行われる。
【００６９】
そして、設定処理部２５は、再び機器設定の設定値を設定データベース２３に要求する。これにより、設定データベース２３は、機器設定値の設定値として受付時設定値を設定処理部２５に送信する。このとき、第２の端末３２により設定データベース２３の機器設定が変更されていないため、受付時設定値が開始時設定値と同じ設定値となる。そして設定処理部２５は、開始時設定値と受付時設定値とを比較する（ステップＳ１６）。このとき、開始時設定値と受付時設定値とが一致するため、設定データベース２３の受付時設定値を変更後の機器設定の設定値に変更する（ステップＳ１７）。そして設定処理部２５は、表示制御部２８により機器設定の設定が成功した旨を示すデータをＵＩ２４に出力する。これにより、第１の端末３１の画面４０には、図４に示すような機器設定の変更が成功した結果画面４５が表示される（ステップＳ４４）。このように、設定データベース２３の受付時設定値を変更後の機器設定の設定値に変更された時点で、切替部２６により制限解除モードから制限モードに切り替えられている。
【００７０】
その後、第２のユーザーが第２の端末３２を操作して、機器設定の設定値の変更操作を行うとき（ステップＳ５２）、第２の端末３２は、ＵＩ２４を介して設定処理部２５に変更した機器設定の設定値を送信する（ステップＳ５３）。例えば、図８に示すとおり、第２の端末３２では、ＲＡＷ印刷機能を「無効」から「有効」に変更され、ＲＡＷ印刷のタイムアウトが「１２０」秒に設定され、ＷＳＤ印刷のタイムアウトが「１２０」秒から「１００」秒に変更される。
【００７１】
このとき、設定処理部２５は、再び機器設定の設定値を設定データベース２３に要求し、受付時設定値を取得する。このとき、設定データベース２３の機器設定の設定値が第１のユーザーにより変更された後の設定値（図２（ｂ）参照）であるため、受付時設定値は、図２（ａ）の開始時設定値ではなく、第１のユーザーにより変更された図２（ｂ）の機器設定の設定値となる。このため、第２の端末３２により設定処理部２５が取得した受付時設定値は、開始時設定値とは異なる設定値となる。そして設定処理部２５は、開始時設定値と受付時設定値とを比較し（ステップＳ１６）、開始時設定値と受付時設定値とが異なるため、設定データベース２３の機器設定の設定値を変更することなく、表示制御部２８により機器設定の設定が失敗した旨を示すデータをＵＩ２４に出力する。これにより、第２の端末３２には、図５に示すような機器設定の変更が失敗した結果画面４５が表示される（ステップＳ５４）。
【００７２】
このように、第１の端末３１により設定データベース２３の機器設定の設定値が変更されたとき、設定処理部２５は、切替部２６により制限解除モードから制限モードに切り替えて第２の端末３２が設定データベース２３の機器設定の設定値を変更できないように第２の端末３２に制限を加える。これにより、第１のユーザーが例えば印刷装置１１の点検作業を行う際に、設定データベース２３の機器設定を変更したとき、第２のユーザーにより設定データベース２３の機器設定がさらに変更されることによって、第１のユーザーが点検したい機器設定とは異なる機器設定で点検作業を行ってしまうことが抑制される。
【００７３】
本実施形態の印刷装置１１によれば、以下に示す作用効果を得ることができる。
（１）印刷装置１１の設定処理部２５は、各端末３１〜３４により印刷装置１１の機器設定を変更できる状態である制限解除モードと、予め設定された条件下において各端末３１〜３４のうちの条件を満たした端末のみが印刷装置１１の機器設定を変更できる状態である制限モードとを切り替える切替部２６を備える。これにより、制御装置２０が制限モードにおいて特定の端末以外のアクセス端末により機器設定の変更要求をＵＩ２４が受け付けたとき、その機器設定の変更要求が設定データベース２３に反映されることが抑制される。このため、例えばユーザーが特定の端末により印刷装置１１を点検作業している間に、他のユーザーが特定の端末以外の端末により印刷装置１１の機器設定の変更を行うことが制限されるため、特定の端末を操作するユーザーが点検作業ごとに他の端末により印刷装置１１の機器設定が変更されたか否かを確認することが抑制される。したがって、印刷装置１１の点検作業が煩雑になることが抑制される。
【００７４】
（２）ユーザーにより制限モードから制限解除モードに切り替わる解除条件が設定可能である。これにより、特定の端末を操作するユーザーが制限モードの期間を把握することができる。このため、例えば特定の端末を操作するユーザーが点検作業を行う際、他のユーザーによる機器設定の変更を頻繁に確認しなくてもよいため、点検作業に集中することができる。
【００７５】
また、予め設定された時刻、期間、ジョブにより制限モードから制限解除モードに切り替えられるため、特定の端末を操作するユーザーが制限モードから制限解除モードに切り替える操作をしなくてもよい。このため、機器設定の変更の使い勝手がよくなる。
【００７６】
（３）制御装置２０は、制限解除処理において、制限モードに切り替えられた後、設定時間に達したとき、制限モードから制限解除モードに切り替える。これにより、解除条件として所定のジョブが完了することとした場合において、そのジョブが完了しないまま、特定の端末を操作するユーザーが制限モードから制限解除モードに切り替えることを忘れても、設定時間に達したときに切替部２６により自動的に制限モードから制限解除モードに切り替えられる。このため、不必要に制限モードが維持される期間が短くなる。
【００７７】
（４）制御装置２０は、機器設定の変更を実行した端末（特定の端末）と、機器設定が変更された設定項目とを特定する特定部２７を備える。このため、特定部２７によりどのユーザーが機器設定のどの設定項目を変更したかを特定した情報を他のユーザーが認識することにより、変更したユーザー及び変更した設定項目に応じて機器設定の変更の重要度を他のユーザーが把握することができる。
【００７８】
（５）表示制御部２８は、機器設定の設定項目の設定値等を選択するための選択肢４３をＵＩ２４に出力する。このため、アクセス端末の設定画面４１には、選択肢４３が表示されるため、アクセス端末を操作するユーザーが選択肢４３内の設定値等の情報を選択することにより機器設定を変更することができる。したがって、ユーザーが機器設定を容易に変更することができる。
【００７９】
（第２実施形態）
第２実施形態の印刷装置１１は、印刷装置１１の管理権限を有する端末である特定の端末により制限解除モード及び制限モードを切り替え可能とする機能を追加した点で第１実施形態の印刷装置１１と異なる。以下、その相違点について図９を用いて説明する。なお、以下の説明において、符号が付された印刷装置１１の構成要素は、図１の印刷装置１１の構成要素を示し、その説明を省略する。
【００８０】
表示制御部２８は、制限解除モード及び制限モードを切り替えるための操作ボタンをＵＩ２４に出力する。このため、図９に示すように、特定の端末の設定画面４１には、設定ロックボタン４７及びロック解除ボタン４８が表示される。設定ロックボタン４７及びロック解除ボタン４８は、「ＬＰＲ印刷」、「ＲＡＷ印刷」、「ＷＳＤ印刷」、及び「ＦＴＰ印刷」の全て設定項目を一括して制限解除モード及び制限モードの切り替えを行う。そして設定ロックボタン４７及びロック解除ボタン４８のいずれかが操作されることにより、特定の端末による制限解除モード及び制限モードの切り替え要求がＵＩ２４に出力される。
【００８１】
切替部２６は、特定の端末による制限解除モード及び制限モードの切り替え要求に基づいて制限解除モード及び制限モードを切り替え、その切り替えの結果をＵＩ２４に出力する。なお、本実施形態における制限モードの際に機器設定の変更可能となる端末の条件は、第１実施形態における予め設定された条件と、印刷装置１１の管理権限を有する端末であることとの少なくとも１つを満たすことである。この条件において、印刷装置１１の管理権限を有する端末であることは、第１実施形態における予め設定された条件よりも優先される。
【００８２】
制御装置２０が実行する設定制限処理は、第１実施形態の設定制限処理とは次の点が異なる。すなわち、図１０に示すように、設定制限処理のステップＳ１１の前に、特定の端末により制限解除モードから制限モードに切り替えられたか否かの判定（ステップＳ６１）が追加される。そして制御装置２０は、特定の端末により制限解除モードから制限モードに切り替えられていないとき（ステップＳ６１：ＮＯ）、すなわち制限解除モードが維持されるとき、ステップＳ１１に移行して第１実施形態の設定制限処理と同様に処理する。一方、制御装置２０は、特定の端末により制限解除モードから制限モードに切り替えられているとき（ステップＳ６１：ＹＥＳ）、特定の端末以外のアクセス端末による機器設定の変更要求を受け付けたか否かを判定する（ステップＳ６２）。
【００８３】
制御装置２０は、特定の端末以外のアクセス端末による機器設定の変更要求を受け付けたとき（ステップＳ６２：ＹＥＳ）、例えば図５に示すようにアクセス端末の画面４０に機器設定の変更が失敗した旨の結果画面４５を表示する（ステップＳ６３）。一方、制御装置２０は、特定の端末以外のアクセス端末による機器設定の変更要求を受け付けていないとき（ステップＳ６２：ＮＯ）、処理を一旦終了する。
【００８４】
本実施形態の印刷装置１１によれば、第１実施形態の印刷装置１１における（１）〜（５）の効果に加え、以下の作用効果が得られる。
（６）特定の端末を操作するユーザーは、機器設定の変更要求を行う際に特定の端末の設定画面４１の設定ロックボタン４７を操作することにより制限モードを選択する。これにより、制御装置２０は、特定の端末以外のアクセス端末による機器設定の変更要求を予め制限する。このため、特定の端末を操作するユーザーは、他のユーザーによる機器設定の変更を考慮することなく、機器設定の変更操作を行うことができる。
【００８５】
（７）設定ロックボタン４７及びロック解除ボタン４８は、複数の設定項目を一括して制限解除モード及び制限モードの切り替えを行う。このため、複数の設定項目のそれぞれに制限解除モードと制限モードとを設定せずに、複数の設定項目をまとめて制限解除モードと制限モードとを設定することができる。このため、制限解除モードと制限モードとの設定の作業が煩雑になることを抑制することができる。
【００８６】
第１及び第２実施形態は、以下のような別の実施形態に変更してもよい。
・上記第１実施形態において、制御装置２０は、複数の端末により同じ時期に機器設定の変更操作又は変更要求が行われた場合、端末の画面のそれぞれに機器設定の変更が行われている旨又は機器設定の変更の制限が加えられている旨を表示する表示出力処理を実行してもよい。表示出力処理は、設定制限処理及び制限解除処理が実行される期間において、図１１に示すフローチャートの手順に従い、所定時間毎に繰り返し実行される。
【００８７】
図１１に示すように、制御装置２０は、まず各端末３１〜３４のうちのアクセス端末のいずれかにより設定データベース２３の機器設定が変更されたか否かを判定する（ステップＳ７１）。ここで、制御装置２０は、アクセス端末のいずれかにより設定データベース２３の機器設定が変更された場合（ステップＳ７１：ＹＥＳ）、他のアクセス端末の画面に設定データベース２３の機器設定の変更を制限する旨を表示する（ステップＳ７２）。
【００８８】
例えば、図１２に示すように、他のアクセス端末の設定画面４１における表示領域４２には、「設定内容が他ユーザーと競合しています。画面を更新してやり直してください。」というように機器設定の変更を制限する旨が表示される。この場合、他のアクセス端末の設定画面４１の送信ボタン４４の操作が無効化される。なお、制御装置２０は、他のアクセス端末の設定画面４１の送信ボタン４４の操作が有効の状態で、送信ボタン４４が操作されたとき、図５に示すような機器設定の変更が失敗した旨を示す結果画面４５を他のアクセス端末の画面４０に表示させてもよい。
【００８９】
一方、制御装置２０は、アクセス端末のいずれかにより設定データベース２３の機器設定が変更されていない場合（ステップＳ７１：ＮＯ）、アクセス端末のいずれかが機器設定を変更操作したか否かを判定する（ステップＳ７３）。
【００９０】
制御装置２０は、アクセス端末のいずれかが機器設定を変更操作したとき（ステップＳ７３：ＹＥＳ）、図１３に示すような機器設定の設定値が変更操作されている旨を示す設定画面４１を他のアクセス端末の画面４０に表示させ（ステップＳ７４）、再びステップＳ７１の判定に移行する。図１３では、ＬＰＲ印刷の「ＬＰＲ印刷機能」及び「タイムアウト」の設定項目のそれぞれが変更操作中であるとして、「ＬＰＲ印刷機能」及び「タイムアウト」の設定項目の右側の領域にアニメーション表示されたアイコン５１が表示される。図１３のアイコン５１は、鉛筆が左側から右側に繰り返し動くことにより設定項目の変更操作中を示している。なお、制御装置２０は、アクセス端末のいずれかが機器設定の変更操作中ではないとき（ステップＳ７３：ＮＯ）、再びステップＳ７１の判定に移行する。
【００９１】
このように、アクセス端末の設定画面４１に他のアクセス端末により設定項目の内容が変更されたこと又は変更操作されていることを表示するため、アクセス端末を操作するユーザーは、その設定画面４１から機器設定の設定項目の内容が他のユーザーによって変更されたこと又は変更操作されていることを認識することができる。したがって、ユーザーは、機器設定の変更操作を中断したり、機器設定の変更操作を行っている他のユーザーとの間で機器設定について調整したりすることができる。
【００９２】
・上記変形例の表示出力処理において、他のアクセス端末の画面に設定データベース２３の機器設定の変更を制限する旨の表示方法として、図１２のような文字による表示方法に代えて、図１４（ａ）（ｂ）に示すようなアイコン５２Ａ，５２Ｂによる表示方法であってもよい。図１４（ａ）（ｂ）に示すとおり、アイコン５２Ａ，５２Ｂは、表示領域４２の「機能」の右隣に表示される。そして、図１４（ａ）では、アイコン５２Ａとしての南京錠がロックした状態で表示されることにより制限モードを示し、「ＬＰＲ印刷」、「ＲＡＷ印刷」、「ＷＳＤ印刷」、及び「ＦＴＰ印刷」の全て設定項目についての変更が制限される。図１４（ｂ）では、アイコン５２Ｂとしての南京錠がロック解除した状態で表示されることにより制限解除モードを示し、「ＬＰＲ印刷」、「ＲＡＷ印刷」、「ＷＳＤ印刷」、及び「ＦＴＰ印刷」の全て設定項目についての変更の制限が解除される。
【００９３】
このように、制限モード及び制限解除モードを示すアイコン５２Ａ，５２Ｂをアクセス端末の設定画面４１を介してユーザーが視認することにより、機器設定の変更制限の状態を容易に把握することができる。
【００９４】
・上記各実施形態では、「ＬＰＲ印刷」、「ＲＡＷ印刷」、「ＷＳＤ印刷」、及び「ＦＴＰ印刷」の全ての設定項目をまとめて制限解除モード及び制限モードに切り替えたが、より細分化された設定項目を設定グループとして、その設定グループに基づいて制限解除モード及び制限モードに切り替えてもよい。例えば、「ＬＰＲ印刷」の設定項目であるＬＰＲ印刷機能及びタイムアウトと、「ＲＡＷ印刷」の設定項目であるＲＡＷ印刷機能及びタイムアウトとをまとめた設定グループとして制限解除モード及び制限モードに切り替えてもよい。また例えば、「ＬＰＲ印刷」の設定項目であるＬＰＲ印刷機能及びタイムアウトをまとめた設定グループとして制限解除モード及び制限モードに切り替えてもよい。
【００９５】
さらに、設定項目ごとにアイコン５２Ａ，５２Ｂを表示して制限解除モード及び制限モードが切り替えられてもよい。設定項目ごとにアイコン５２Ａ，５２Ｂを表示する形式の一例として、図１５では、ＬＰＲ印刷の「ＬＰＲ印刷機能」及び「タイムアウト」の設定項目のそれぞれの右側の領域にアイコン５２Ａが表示されて、設定データベース２３における「ＬＰＲ印刷機能」及び「タイムアウト」の変更を制限している。
【００９６】
・上記第２実施形態では、設定ロックボタン４７及びロック解除ボタン４８により「ＬＰＲ印刷」、「ＲＡＷ印刷」、「ＷＳＤ印刷」、及び「ＦＴＰ印刷」の全ての設定項目をまとめて制限解除モード及び制限モードに切り替えたが、より細分化された設定項目の設定グループごと及び設定項目ごとに制限解除モード及び制限モードを切り替えてもよい。また、制限解除モード及び制限モードに切り替える設定グループ及び設定項目を指定することもできる。
【００９７】
・上記各実施形態において、制御装置２０は、制限モードが解除される時間である制限解除予告時間の一例として機器設定の変更が制限される制限モードが解除されるまでの時間をアクセス端末の設定画面４１に表示させてもよい。例えば、制御装置２０は、図１６に示すように、アクセス端末の設定画面４１における表示領域４２の上側に制限解除予告時間としてのタイムバー５３と、「機器設定の変更の制限解除まであと１０分です」等の文字とを表示領域４２の上側に表示させる。タイムバー５３は、タイムバー５３における網掛け部分が右端に到達したとき、機器設定の変更の制限解除の時刻に達したことを示す。なお、制御装置２０は、タイムバー５３および制限モードが解除されるまでの時間を示す文字の一方を表示させてもよい。
【００９８】
この構成によれば、機器設定の変更を行ったユーザーが制限モードから制限解除モードに切り替えられるまでの時間を把握することにより、制限モードが維持される期間を把握することができる。またアクセス端末に設定画面４１を表示させた他のユーザーが制限モードから制限解除モードに何時切り替えられるかを把握することができるため、制限モードのときに他のユーザーが機器設定を変更する頻度が少なくなる。したがって、他のユーザーによる機器設定の変更の失敗を抑制することができる。
【００９９】
・上記第２実施形態において、制御装置２０は、表示制御部２８により機器設定の変更の制限を設定する「モード設定制限」をＵＩ２４に出力してもよい。これにより、アクセス端末の設定画面４１において、一例として図１７に示すように、ユーザーがアクセス端末の操作器であるマウスを右クリックすることにより表示された選択肢５４に「モード設定制限」が表示される。図１７は、ユーザーがモード制限設定を選択し、機器設定の変更の制限の「有効」及び「無効」を表示させている。
【０１００】
この構成によれば、機器設定の変更の選択肢５４がアクセス端末の設定画面４１に表示されるため、その選択肢５４内の設定値等の情報を選択することにより機器設定を変更することができる。したがって、ユーザーが機器設定を容易に変更することができる。
【０１０１】
また、表示制御部２８は、設定ロックボタン４７及びロック解除ボタン４８に代えて、モード制限設定を行うための表示部５５をＵＩ２４に出力してもよい。これにより、アクセス端末の設定画面４１において、一例として図１８に示すように、表示部５５が表示され、表示部５５の右端には、南京錠を示すアイコン５６が表示される。ユーザーは、アイコン５６を選択操作することにより、南京錠がロック状態となる機器設定の変更の制限の「有効（制限モード）」と、南京錠がロック解除状態となる機器設定の変更の制限の「無効（制限解除モード）」とを切り替える。
【０１０２】
この構成によれば、選択肢として機器設定の変更の制限（制限モード）及び制限解除（制限解除モード）がアイコン５６により表示されるため、ユーザーが機器設定の変更の制限及び制限解除を感覚的に選択しやすくなる。なお、表示制御部２８は、制限モード及び制限解除モードの切り替えの設定項目以外の設定項目に関する選択肢についてもアイコンにより表示してもよい。
【０１０３】
・上記各実施形態において、特定部２７により特定された設定項目が変更済みである情報に加え、図１９に示すように、制限モードを示すアイコン５２Ａにユーザーがカーソル５７を合わせることにより、設定項目を変更したアクセス端末の表示情報５８を表示させてもよい。図１９では、表示情報５８として「第１の端末によって変更されました」旨が表示されている。
【０１０４】
この構成によれば、変更された設定項目が誰によって変更されたかの情報が容易に取得することができるため、ユーザーは、変更された設定項目の重要度を把握することができる。
【０１０５】
・上記各実施形態において、変更操作された設定項目ごとに設定制限処理を実行してもよい。この場合、制御装置２０は、ユーザーがアクセス端末の設定画面４１を開いて設定項目を変更操作した期間に設定制限処理のステップＳ１１〜Ｓ１６を実行する。そして変更操作された設定項目について変更の制限が加えられている場合（ステップＳ１６：ＹＥＳ）、図３の設定制限処理のステップＳ２２に代えて、設定画面４１の設定項目の隣に機器設定の変更が失敗した旨が文字又はアイコンにより表示される。一例として図２０に示すように、制限モードにおいて、ユーザーがアクセス端末によりＬＰＲ印刷機能の設定を「無効」から「有効」に切り替える変更操作を行う場合、ＬＰＲ印刷機能の隣に「設定変更に失敗しました。」と表示される。
【０１０６】
この構成によれば、特定の端末以外のアクセス端末を操作するユーザーが設定項目を変更操作するごとに、変更操作された設定項目に変更制限がかかっているか否かの結果がアクセス端末に表示される。このため、アクセス端末を操作するユーザーが機器設定の設定項目において変更すべき設定項目の全てを設定した後に、変更した設定項目に変更制限がかかっているか否かが表示される場合と比較して、アクセス端末を操作するユーザーが機器設定の設定項目に変更制限がかかっていることを速やかに把握することができる。
【０１０７】
・上記各実施形態において、設定時間を省略してもよい。この場合、制限解除処理において、ステップＳ３３の処理が省略され、ステップＳ３２において解除条件が成立しない場合、処理が一旦終了する。
【０１０８】
・上記各実施形態では、ユーザーがアクセス端末を操作して機器設定の変更を実行したときに設定制限処理によりそのアクセス端末以外の端末による機器設定の変更を制限したが、機器設定の変更の制限の状況はこれに限られない。例えば、印刷装置１１が所定時間毎に点検作業を自動的に行うとき、ユーザーによるアクセス端末の操作にかかわらず設定制限処理を実行するようにしてもよい。
【０１０９】
・上記各実施形態において、印刷装置１１は、媒体に印刷することができるものであれば、ドットインパクトプリンターやレーザープリンターであってもよい。また、印刷装置１１は、印刷機能だけを備えた構成に限定されず、複合機であってもよい。さらに、印刷装置１１は、シリアルプリンターに限定されず、ラインプリンター又はページプリンターであってもよい。
【０１１０】
・媒体は、用紙に限定されず、連続紙、樹脂製のフィルム、金属箔、金属フィルム、樹脂と金属の複合体フィルム（ラミネートフィルム）、織物、不織布、セラミックシート等であってもよい。
【符号の説明】
【０１１１】
１１…印刷装置、２４…受付部の一例としてのＵＩ、２６…切替部、２７…特定部、２８…表示制御部、３０…ネットワーク、３１…第１の端末、３２…第２の端末、３３…第３の端末、３４…第４の端末、４０…画面、４３…選択肢、５１…アイコン、５２Ａ…アイコン、５２Ｂ…アイコン、５３…制限解除予告時間の一例としてのタイムバー５４…選択肢、５６…アイコン。
【図１】
2016175218.tif 000003
【図２】
2016175218.tif 000004
【図３】
2016175218.tif 000005
【図４】
2016175218.tif 000006
【図５】
2016175218.tif 000007
【図６】
2016175218.tif 000008
【図７】
2016175218.tif 000009
【図８】
2016175218.tif 000010
【図９】
2016175218.tif 000011
【図１０】
2016175218.tif 000012
【図１１】
2016175218.tif 000013
【図１２】
2016175218.tif 000014
【図１３】
2016175218.tif 000015
【図１４】
2016175218.tif 000016
【図１５】
2016175218.tif 000017
【図１６】
2016175218.tif 000018
【図１７】
2016175218.tif 000019
【図１８】
2016175218.tif 000020
【図１９】
2016175218.tif 000021
【図２０】
2016175218.tif 000022